(57)【要約】【課題】折り畳み状態を保持出来ずに型崩れしたり、収納状態の買い物袋の大きさが判らない。【解決手段】後方板部３の両側端縁部より前方へ両側方板部４、4aを連続形成した基体１と、後方板部３の上端縁部に折曲可能に連結一体化した上方板部９の前端縁部より下方へ、上記基体１の前方開口部を閉鎖する前方板部10を連続形成した開閉蓋２とを備え、両側方板部４、4a間の上端寄りに架設した買い物袋Ａ、Ａａ…の掛止体５とを備え、該掛止体５に複数枚の買い物袋Ａ、Ａａ…を順次重ねる様にして掛けて吊るすことで型崩れせず、開閉蓋２を開くことで収納された買い物袋Ａ、Ａａ…を直接視認出来る。【選択図】図３
2010001044.tif 000002
【特許請求の範囲】
【請求項１】
縦長にして下方開口状の箱体であって、縦長矩形状の後方板部及び該後方板部の両側端縁部より前方へ連続形成された縦長矩形状の両側方板部を有した基体と、後方板部の上端縁部に折曲可能に連結一体化して上記基体の上方開口部を閉鎖する矩形板状の上方板部及び該上方板部の前端縁部より下方へ連続形成された、上記基体の前方開口部を閉鎖する縦長矩形状の前方板部を有した開閉蓋とを備え、上記基体に垂直設置面への取付手段と、両側方板部間の上端寄りに架設した買い物袋の掛止体とを備えたことを特徴とする買い物袋収納ケース。
【請求項２】
上記基体及び開閉蓋を１枚の紙製ブランクを折曲して形成し、該ブランクは、連続形成された後方板部と側方板部との間、後方板部と上方板部との間、上方板部と前方板部との間に折り罫線が形成され、側方板部の上方板部側寄りの部分に形成された孔に、抜止め手段が講じられた両端部が内側から外側へ通された伸縮自在な紐状の掛止体とを有し、上記ブランクを後方板部及び側方板部間の折り罫線で折って基体を、上方板部及び前方板部間の折り罫線で折って開閉蓋を夫々形成し、後方板部及び上方板部間の折り罫線で折って、基体の上方及び前方開口部を開閉蓋で開閉する様に組み立てられることを特徴とする請求項１記載の買い物袋収納ケース。
【請求項３】
上記ブランクにおける前方板部の両側端縁部に両側方板部へのオーバーラップ板部を折り罫線を介して連続形成し、かかるブランクを前方板部及びオーバーラップ板部間の折り罫線で折って、閉鎖時に両側方板部の外側に重ねる様にしたことを特徴とする請求項２記載の買い物袋収納ケース。
【発明の詳細な説明】
【技術分野】
【０００１】
本発明は、購入した商品を詰める、所謂『レジ袋』と称される買い物袋を整理して収納する様にした買い物袋収納ケースに関する。
【背景技術】
【０００２】
従来、上記買い物袋を折り畳んで整理収納するケースにあっては、複数個収納した買い物袋を取り出し口から適宜取り出すようにした買い物袋収納容器において、上板と４面の側板と底板とで、平板状に折り畳んだ状態の買い物袋を多数重ね合わせて横方向に収納する直方体状の収納部を形成し、前記１面の側板を横方向に開閉自在にすると共に、この側板を開放した開口部分から前記収納部に買い物袋を収納するよう構成し、前記底板には、前記収納部に収納された買い物袋と直行する方向に買い物袋の取り出し用の長溝を設け、該長溝の長手方向の端部に連通した切り欠き部を前記側板の下端部に設けた買い物袋収納容器が見受けられる（例えば、特許文献１参照）。
この買い物袋収納容器においては、平板状に折り畳んだ状態の買い物袋を多数重ね合わせて収納することで、買い物袋が必要な際に容易に取り出すことが可能で、買い物袋が一度に多数出てくることもなく、収納した買い物袋は全て長溝に接しているため、買い物袋が箱の中で倒れて取り出せなくなるということもなく、最後の１枚まで取り出すことが出来、買い物袋を平板状に畳むので皺も少なく買い物袋を再利用し易く、又場所をとらず何処にでも吊着して使用することが出来るため、台所等の部屋の整理整頓を行うことが出来、買い物袋の有効利用を図ることも出来、収納した買い物袋が外部露出せず見映え良く収納することを可能にしている。
【０００３】
【特許文献１】特開２００８−１１４８８９号公報（請求項１、図１〜３）
【発明の開示】
【発明が解決しようとする課題】
【０００４】
しかし、上記従来技術にあっては、下記の通り解決せねばならない課題があった。
（１）買い物袋を縦折りにした後に横折りにすることから、そのままの状態では折り畳み状態を保持出来ず、よって収納された買い物袋の枚数が少なくなると折り畳み状態を保持出来ずに型崩れしてしまう。
（２）収納状態の買い物袋の大きさが判らない。
【課題を解決するための手段】
【０００５】
本発明は、上記従来技術に基づく、上記（１）、（２）の課題に鑑み、縦長にして下方開口状の箱体であって、縦長矩形状の後方板部及び該後方板部の両側端縁部より前方へ連続形成された縦長矩形状の両側方板部を有した基体と、後方板部の上端縁部に折曲可能に連結一体化して上記基体の上方開口部を閉鎖する矩形板状の上方板部及び該上方板部の前端縁部より下方へ連続形成された、上記基体の前方開口部を閉鎖する縦長矩形状の前方板部を有した開閉蓋とを備え、上記基体に垂直設置面への取付手段と、両側方板部間の上端寄りに架設した買い物袋の掛止体とを備えた買い物袋収納ケースを垂直面に設置して、掛止体に複数枚の買い物袋を順次重ねる様にして掛けることによって、買い物袋は単に縦折りするだけで収納可能にすると共に、型崩れしない様ににして、上記（１）の課題を解決し、開閉蓋を開くことで、収納された買い物袋を直接視認可能にして、上記（２）の課題を解決する。
【発明の効果】
【０００６】
要するに本発明は、縦長にして下方開口状の箱体であって、縦長矩形状の後方板部及び該後方板部の両側端縁部より前方へ連続形成された縦長矩形状の両側方板部を有した基体と、後方板部の上端縁部に折曲可能に連結一体化して上記基体の上方開口部を閉鎖する矩形板状の上方板部及び該上方板部の前端縁部より下方へ連続形成された、上記基体の前方開口部を閉鎖する縦長矩形状の前方板部を有した開閉蓋とを備え、上記基体に垂直設置面への取付手段と、両側方板部間の上端寄りに架設した買い物袋の掛止体とを備えたので、買い物袋を二つ折り又は四つ折りに縦折りした状態で掛止体に順次重ねる様にして掛けることで、必然的に横折りされた状態で吊り下げ収納されるため、家庭に溜まる買い物袋を容易且つ型崩れしない様に複数枚整理収納することが出来ると共に、再利用時には買い物袋の下端を持って引っぱるだけでスムーズに取り出すことが出来、而も構成が単純で軽量小型化することが出来るため、どこにでも吊り下げ設置することが出来、更に基体の前部及び上部を全開可能なため、買い物袋の収納作業を容易化することが出来ると共に、収納された買い物袋を直接視認して必要な買い物袋を選択し取り出すことが出来る。
【０００７】
上記基体及び開閉蓋を１枚の紙製ブランクを折曲して形成し、該ブランクは、連続形成された後方板部と側方板部との間、後方板部と上方板部との間、上方板部と前方板部との間に折り罫線が形成され、側方板部の上方板部側寄りの部分に形成された孔に、抜止め手段が講じられた両端部が内側から外側へ通された伸縮自在な紐状の掛止体とを有し、上記ブランクを後方板部及び側方板部間の折り罫線で折って基体を、上方板部及び前方板部間の折り罫線で折って開閉蓋を夫々形成し、後方板部及び上方板部間の折り罫線で折って、基体の上方及び前方開口部を開閉蓋で開閉する様に組み立てられるので、１枚のブランクから基体及び開閉蓋を容易に組立可能であることから、このブランクに予め掛止体及び吊下げ紐を取り付けておけば、ブランクを折曲し必要に応じて必要箇所を糊付けするだけで本発明に係る買い物袋収納ケースを組立て可能なため、展開状態で販売することも出来、更に掛止体をゴム紐の様な伸長可能な弾性線状体にすれば、展開状態としても、伸長状態の掛止体の復元力により両側板部が後方板部に対し自動的に起立状態となるため、組立て作業の簡易化を図ることが出来る。
又、変形し易い紙を使用した場合、形状保持性に難点があることから、例えば両側板部間が下端側へ徐々に広くなってしまって、開閉蓋を閉鎖した状態でも、該開閉蓋と側方板部との間に隙間が出来たりするなど見栄え良く見えなくなることもあり得るが、上記ブランクにおける前方板部の両側端縁部に両側方板部へのオーバーラップ板部を折り罫線を介して連続形成し、かかるブランクを前方板部及びオーバーラップ板部間の折り罫線で折って、閉鎖時に両側方板部の外側に重ねる様にしたので、開閉蓋と側方板部との間に隙間が無くなって開閉蓋を閉鎖した状態の見栄えを向上させることが出来、加えて切離自在テープの一方部材を両側方板部の外面に、他方部材をオーバーラップ板部の内面に夫々設ければ、閉鎖状態を確実に保持出来ると共に開放時の手間を最小限に抑えることが出来る等その実用的効果甚だ大である。
【発明を実施するための最良の形態】
【０００８】
以下、本発明に係る買い物袋収納ケースの一実施例を図面に基づき説明する。
図１〜３は、本発明に係る買い物袋収納ケースの通常時、買い物袋の引出し時及び買い物袋の収納作業時の状態を示す斜視図であり、図４は通常時の、図５は買い物袋の収納作業時の買い物袋収納ケースの要部拡大断面図であり、かかる買い物袋収納ケースは、壁の様な垂直面Ｗに取り付ける、具体的には該垂直面Ｗに設置されたフックＦに吊り下げられて垂直面Ｗに対し取り付けられる基体１と、該基体１の前面に開閉自在に設けた開閉蓋２とを備えた、縦長にして下方開口状の箱体である。
以下、具体的に説明する。
【０００９】
上記基体１にあっては、主に縦長矩形状の後方板部３と、該後方板部３の両側端縁部より前方へ連続形成された縦長矩形状の両側方板部４、4aとを有し、該両側方板部４、4aの間の上端側部分に買い物袋Ａ、Ａａ…の掛止体５が架設され、両側方板部４、4aの上端側部分に吊下げ紐６の両端部を取り付けている。
上記掛止体５は、棒状体又は線状体で、例えばゴム紐の様な伸長可能な弾性線状体とするのが好ましく、特に線状材とした場合には、その両端を両側方板部４、4aの上端側部分に形成した孔７、7aに内側より外側へ挿通させると共に、両端部に例えば結び目の様な抜け止め手段を設けて、掛止体５の両端部を両側方板部４、4aの上端側部分に取り付けている。
又、掛止体５に後方板部３の幅寸法より短い筒体（図示せず）を外嵌しても良い。
上記吊下げ紐６にあっては、その両端を両側方板部４、4aの上端側部分に形成した孔８、8aに外側より内側へ挿通させると共に、両端部に例えば結び目の様な抜け止め手段を設けて、吊下げ紐６の両端部を両側方板部４、4aの上端側部分に取り付けている。
【００１０】
上記開閉蓋２にあっては、主に上記後方板部３の上端縁部に折曲可能に連結一体化して上記基体１の上方開口部を閉鎖する矩形板状の上方板部９と、該上方板部９の前端縁部より下方へ連続形成された、上記基体１の前方開口部を閉鎖する縦長矩形状の前方板部10とを有し、該前方板部10を中間部で折曲可能とすべく中間折曲部10a を形成している。
【００１１】
上記前方板部10の両側端縁部に両側方板部４、4aの前端部分へのオーバーラップ板部11、11a を連続形成し、切離自在テープ12の一方部材12a を両側方板部４、4aの外面に、他方部材12b をオーバーラップ板部11、11a の内面に夫々設けて、基体１に対し開閉蓋２を開閉及び固定可能にしている。
尚、上記オーバーラップ板部11、11a の長さは、前方板部10の上端部より中間部迄とし、前方板部10の中間折曲部はオーバーラップ板部11、11a の下端より下方に形成されている。
【００１２】
上方板部９の両側端縁部に両側方板部４、4aの上端部分へのオーバーラップ板部13、13a を連続形成し、該オーバーラップ板部13、13a の側端部分を前方板部10側に固定、具体的にはオーバーラップ板部11、11a の上端部分に重ねて固定して、上方板部９に対する前方板部10の角度を固定することで、単に折っただけではその折曲角度を保持できない紙の性質をカバーしている。
【００１３】
図６は、本発明に係る買い物袋収納ケースを強制展開した状態を示す平面図であり、基体１及び開閉蓋２を構成する紙製のブランク14は、基本的には、連続形成された後方板部３及び側方板部４、4aの間に折り罫線Ｌ１、Ｌ1a（谷折れ）が、後方板部３及び上方板部９の間に折り罫線Ｌ２（谷折れ）が、上方板部９及び前方板部10の間に折り罫線Ｌ３（谷折れ）が夫々形成され、望ましくは前方板部10に中間折曲部10a となる折り罫線Ｌ４（山折れ）が形成され、更に前方板部10及びオーバーラップ板部11、11a の間に折り罫線Ｌ５、Ｌ5a（谷折れ）が、上方板部９及びオーバーラップ板部13、13a の間に折り罫線Ｌ６、Ｌ6a（谷折れ）が形成されている。
【００１４】
又、側方板部４、4aの上方板部９側寄りの部分に形成された孔７、7aに、抜止め手段が講じられた伸縮自在にして伸長状態の紐状の掛止体５の両端部が内側（図面上、上面側）から外側（図面上、下面側）へ通されており、側方板部４、4aの上方板部９側寄りの部分に形成された孔８、8aに、抜止め手段が講じられた吊り下げ紐６の両端部が外側（図面上、下面側）から内側（図面上、上面側）へ通されている。
【００１５】
そして、上記ブランク14を折り罫線Ｌ１、Ｌ1aで折って基体１を形成し、折り罫線Ｌ５、Ｌ5a、Ｌ６、Ｌ6aで折った後、折り罫線Ｌ２で折ると共に上方板部９側のオーバーラップ板部11、11a の側端部分を前方板部10側のオーバーラップ板部13、13a の上端部分に重ねて固定して開閉蓋２を形成し、折り罫線Ｌ３で折って、基体１の上方及び前方開口部を開閉蓋２で閉鎖することを可能にしている。
【００１６】
次に、本発明に係る買い物袋収納ケースの作用について説明する。
〔買い物袋Ａ、Ａａ…の収納作業時〕
図３、５に示す様に、開閉蓋２を開放し、二つ折り又は四つ折りに縦折りした買い物袋Ａ、Ａａ…を掛止体５に順次重ねる様にして掛けることで、買い物袋Ａ、Ａａ…を更に横折りした状態で吊り下げ収納し、開閉蓋２を閉鎖すると共に、両側方板部４、4a側の切離自在テープ12の一方部材12a にオーバーラップ板部11、11a 側の切離自在テープ12の他方部材12b を係合し、図１、４に示す様に、基体１に対し開閉蓋２を固定する。
〔買い物袋Ａ、Ａａ…の引出し時〕
図１に示す状態で、必要に応じて図２に示す様に、開閉蓋２の下端部分を起こした状態で、買い物袋Ａ、Ａａ…のうち一枚の下端を持って引っぱれば、それ以外のものは収納状態のままそれだけが引き出される。
【００１７】
前方板部10を中間部で折曲可能にすることで、前方板部10の下端部分だけを起こせば、収納された買い物袋Ａ、Ａａ…が外部露出して、開閉蓋２全体を開かずに所望のものを視認し取り出すことが可能になる。
【００１８】
掛止体５を伸長可能な弾性線状体（ゴム紐）とした場合、位置を後方板部３寄りにし該後方板部３との間を狭くすることで、収納状態の買い物袋Ａ、Ａａ…を掛止体５と後方板部３とで挟んで買い物袋Ａ、Ａａ…の滑り落ちを確実に防止し、買い物袋Ａ、Ａａ…の枚数が多くなっても掛止体５の伸長により対応することか可能になる。
【図面の簡単な説明】
【００１９】
【図１】本発明に係る買い物袋収納ケースの通常時の状態を示す斜視図である。
【図２】買い物袋収納ケースの買い物袋の引出し時の状態を示す斜視図である。
【図３】買い物袋収納ケースの買い物袋の収納作業時の状態を示す斜視図である。
【図４】通常時の買い物袋収納ケースの要部拡大断面図である。
【図５】買い物袋の収納作業時の買い物袋収納ケースの要部拡大断面図である。
【図６】図１の買い物袋収納ケースを強制展開した状態を示す平面図である。
【符号の説明】
【００２０】
１          基体
２          開閉蓋
３          後方板部
４、4a      側方板部
５          掛止体
７、7a      孔
９          上方板部
10          前方板部
11、11a     オーバーラップ板部
14          ブランク
Ａ、Ａａ…  買い物袋
Ｌ１、Ｌ1a  折り罫線
Ｌ２        折り罫線
Ｌ３        折り罫線
Ｌ５、Ｌ5a  折り罫線
【図１】
2010001044.tif 000003
【図２】
2010001044.tif 000004
【図３】
2010001044.tif 000005
【図４】
2010001044.tif 000006
【図５】
2010001044.tif 000007
【図６】
2010001044.tif 000008